(57)【要約】【課題】  必要数の錠剤を確実に取り出せるようにした錠剤容器を創出することを課題とする。【解決手段】  多数の錠剤Ｐを収容する有底筒状の容器本体１０と、容器本体１０の口筒部１２に組み付くキャップ本体２１と、キャップ本体２１に設けられた取り出し口２２を封止する蓋体２７とを備えた錠剤容器であって、取り出し口２２内に、取り出し口２２の一方の縁部下端２２ａ近傍に形成されて錠剤Ｐの通過を可能とする貫通孔２６と、一方の縁部下端２２ａと対向する他方の縁部下端２２ｂ側に設けられて錠剤Ｐを貯留する錠剤受け部２５と、錠剤受け部２５に向かう傾斜部２４と、が設けられた構成とする。【選択図】  図１
2020033085.tif 000002
【特許請求の範囲】
【請求項１】
多数の錠剤（Ｐ）を収容する有底筒状の容器本体（１０）と、該容器本体（１０）の口筒部（１２）に組み付くキャップ本体（２１）と、該キャップ本体（２１）に設けられた取り出し口（２２）を封止する蓋体（２７）とを備えた錠剤容器であって、
前記取り出し口（２２）内に、該取り出し口（２２）の一方の縁部下端（２２ａ）近傍に形成されて前記錠剤（Ｐ）の通過を可能とする貫通孔（２６）と、前記一方の縁部下端（２２ａ）と対向する他方の縁部下端（２２ｂ）側に設けられて前記錠剤（Ｐ）を貯留する錠剤受け部（２５）と、前記錠剤受け部（２５）に向かう傾斜部（２４）と、が設けられていることを特徴とする錠剤容器。
【請求項２】
一方の縁部下端（２２ａ）と他方の縁部下端（２２ｂ）側に設けられた錠剤受け部（２５）との間に傾斜部（２４）が形成され、該傾斜部（２４）に貫通孔（２６）が設けられている請求項１記載の錠剤容器。
【請求項３】
蓋体（２７）がキャップ本体（２１）に対して蝶番（３０）を介して開閉可能に取り付けられており、貫通孔（２６）が前記蝶番（３０）側の位置に設けられている請求項１又は２に記載の錠剤容器。
【請求項４】
蓋体（２７）が透明又は半透明で形成されている請求項１乃至３のいずれか一項に記載の錠剤容器。
【発明の詳細な説明】
【技術分野】
【０００１】
本発明は、必要数の錠剤を確実に取り出す錠剤容器に関する。
【背景技術】
【０００２】
錠剤を必要数だけ取り出せる容器として、例えば特許文献１に記載の錠剤容器が知られている。この錠剤容器は、容器１の口筒部２に組み付く組み付き筒部１１の径方向内側に延設され、中央に形成された貫通穴１６ａと一部に径方向に内側に向かって傾斜して貫通穴１６ａに達する低床部１６ｂとを有する環状傾斜板１６を備える。この錠剤容器では、キャップ１０が締まった状態でユーザーが容器１を正立状態から反転傾斜させて再び正立状態に戻すことにより、錠剤が貫通穴１６ａを通過して容器口筒部２内側に設けられた環状傾斜板１６及び貫通穴１６ａによって、必要数を含む所定量の錠剤が環状傾斜板１６上に貯留されることになる。そして、ユーザーがキャップ１０を開くと、環状傾斜板１６ａ上に貯留されている錠剤を、必要数だけ指先で摘んで容易に取り出すことができるというものである。
【先行技術文献】
【特許文献】
【０００３】
【特許文献１】特開２０１５−１６３５１７号公報
【発明の開示】
【発明が解決しようとする課題】
【０００４】
上記のように特許文献１に記載の錠剤容器は、容器１が広口状の開口を有する場合には環状傾斜板１６上に広く周長の長い高床部を確保することができることから錠剤を貯留することが可能である。
しかし、容器１が小口状の開口である場合には、環状傾斜板１６の面積が小さくなることから、容器１を僅かに傾けただけで環状傾斜板１６上に貯留した錠剤が中央の貫通穴１６ａを介して容器本体内に直接戻りやすい。あるいは高床部の周長は広口状の開口の場合に比較して短くなるため、容器１を少し傾けただけで錠剤は周方向に移動して高床部から低床部１６ｂに至り、更に低床部１６ｂから貫通穴１６ａを介して容器本体内に戻りやすい。このため、容器１が小口状の開口の場合においては、必要数の錠剤を環状傾斜板１６上に確保することが難しく、結果として錠剤を確実に取り出すことができない虞がある。
【０００５】
本発明は、上記した従来技術における問題点を解消すべく、容器本体が広口状の開口を有する場合は勿論のこと、小口状の開口を有する場合であっても必要数の錠剤を確実に取り出せるようにした錠剤容器を創出することを課題とする。
【課題を解決するための手段】
【０００６】
上記課題を解決するための手段のうち、本発明の主たる手段は、
多数の錠剤を収容する有底筒状の容器本体と、容器本体の口筒部に組み付くキャップ本体と、キャップ本体に設けられた取り出し口を封止する蓋体とを備えた錠剤容器であって、
取り出し口内に、取り出し口の一方の縁部下端近傍に形成されて錠剤の通過を可能とする貫通孔と、一方の縁部下端と対向する他方の縁部下端側に設けられて錠剤を貯留する錠剤受け部と、錠剤受け部に向かう傾斜部と、が設けられていることを特徴とする、と云うものである。
【０００７】
本発明の主たる手段では、使用者がキャップを閉じた状態の錠剤容器を正立状態から倒立姿勢に設定し、再び正立状態に戻すという一連の振り出し操作ことにより、容器本体が広口状の開口を有する場合は勿論のこと、小口状の開口を有する場合であっても必要数を含む所定量の錠剤が貫通孔を通過して蓋体とキャップ本体との間の貯留スペース内に設けられた錠剤受け部に貯留させることができる。よって、使用者は蓋体を開くことにより、必要数に応じた錠剤を指先で摘んで容易に取り出すことができるようになる。
【０００８】
本発明の他の手段は、本発明の主たる手段に、一方の縁部下端と他方の縁部下端）側に設けられた錠剤受け部との間に傾斜部が形成され、この傾斜部に貫通孔が設けられている、との手段を加えたものである。
【０００９】
上記手段では、使用者が必要数の錠剤を取り出した後に剤受け部上に残存している錠剤について、錠剤容器を傾けて貫通孔に導くことにより、この貫通孔を通じて容器本体内に戻すことができる。
【００１０】
また本発明の他の手段は、本発明の主たる手段に、蓋体がキャップ本体に対して蝶番を介して開閉可能に取り付けられており、貫通孔が蝶番側の位置に設けられている、との手段を加えたものである。
【００１１】
上記手段では、貯留スペースの高さ方向の空き寸法は、貫通孔が設けられた蝶番側の方が、錠剤受け部が設けられた側に比較して狭く錠剤は移動し難い状態にあるので、倒立姿勢にした時に貯留スペース内に入り込んだ錠剤が、更に正立姿勢に戻した際に再度貫通孔を通じて容器本体内に戻ることが抑制される結果、錠剤受け部に必要数の錠剤を確保することが可能となる。
【００１２】
また本発明の他の手段は、上記いずれかの手段に、蓋体が透明又は半透明で形成されている、との手段を加えたものである。
【００１３】
上記手段では、蓋体を開けることなく外部から錠剤受け部に貯留されている錠剤を確認することができるようになる。これにより、容器の一連の振り出し操作を効率良く行うことができ、その結果、蓋体を開けることなく必要数を含む所定量の錠剤を確実に錠剤受け部に載置させることができる。
【発明の効果】
【００１４】
本発明では、蓋体を閉じた状態で錠剤容器を正立状態から倒立姿勢に反転させ、再び正立状態に戻すという一連の振り出し操作を行うことにより、容器本体が広口状の開口を有する場合は勿論のこと、小口状の開口を有する場合であっても必要数を含む所定量の錠剤が貯留スペース内に設けられた錠剤受け部において確保されるため、使用者は蓋体を開けることにより必要数の錠剤を確実に取り出すことができる。
【図面の簡単な説明】
【００１５】
【図１】本発明の実施例として、Ａは錠剤容器の平面図、Ｂは正立姿勢を示す錠剤容器の縦断面である。
【図２】倒立姿勢を示す錠剤容器の部分縦断面である。
【図３】正立姿勢において蓋体を開いた状態を示す錠剤容器の部分縦断面である。
【発明を実施するための形態】
【００１６】
以下、本発明の実施の形態について図面を参照しつつ説明する。
図１は本発明の実施例として、Ａは錠剤容器の平面図、Ｂは正立姿勢を示す錠剤容器の縦断面である。
錠剤容器１は、例えば医薬品や健康食品等の錠剤Ｐを収納すると共に必要数の錠剤Ｐを取り出すための容器であり、錠剤Ｐを収納する容器本体１０と、この容器本体１０の口筒部１２を封止するためのキャップ２０とを有して構成され、各部材は合成樹脂材料を用いて形成されている。この錠剤容器１に収納される錠剤Ｐの形状は、例えば球状、略扁平状、楕円体状、あるいは円筒の両端が半球状に形成されて成るカプセル状等であるが、後述する貫通孔２６を通り抜けることが可能な形状であれば特に限定されるこのではなく、その他の形状であってもよい。尚、図２及び図３は略扁平状の錠剤Ｐを例示したものである。
【００１７】
容器本体１０は、底部１５の上に有底筒状の胴部１４が連設されると共に、その上端に続く肩部１３を介して起立設された口筒部１２を有して形成されている。口筒部１２の外周面には雄ネジ部１２ａと、その下にネックリング１２ｂが一体に形成されている。
【００１８】
キャップ２０は、口筒部１２に組み付く筒状のキャップ本体２１と、キャップ本体２１に形成された取り出し口２２を封止するための蓋体２７とを有して形成されており、本実施例では蓋体２７はキャップ本体２１の頂壁２１Ａに対して薄肉部から形成される蝶番３０を介して開閉可能に連結されている。
キャップ本体２１の内周面には雌ネジ部２１ａが形成されており、口筒部１２の雄ネジ部１２ａに螺合により組み付くことが可能とされている。またキャップ本体２１の頂壁２１Ａの下面（内面）には、インナーリング２３が取り出し口２２を取り囲むように垂下設されており、このインナーリング２３とキャップ本体２１の内周面との間に容器本体１０側の口筒部１２が挿入可能とされている。
【００１９】
取り出し口２２は頂壁２１Ａ上に円環状に周突設されており、本実施例において取り出し口２２内には、取り出し口２２の一方（本実施例では蝶番３０が設けられた図示右方）の縁部下端２２ａからこれに対向する他方（本実施例では蝶番３０とは逆側となる図示左方）の縁部下端２２ｂに向かって傾斜する傾斜部２４を備える錠剤受け部２５が一体に形成されている。傾斜部２４は断面が、傾斜状の直線で形成されていても良いし、あるいは傾斜状の曲線を有して形成されていても良い。そして錠剤受け部２５は、他方の縁部下端２２ｂ側で且つ傾斜部２４の最深部の位置に断面湾曲凹形状を有して形成されている。また傾斜部２４の上端で且つ一方の縁部下端２２ａの近傍となる位置には、錠剤Ｐの通過を可能とする貫通孔２６が形成されている。貫通孔２６の内径寸法は、錠剤Ｐの外径寸法よりも若干大きい寸法を有して形成されており、錠剤Ｐは貫通孔２６を１つずつ通り抜けることが可能とされている。
【００２０】
尚、貫通孔２６が傾斜部２４上に設けられることは必須ではなく、例えば一方の縁部下端２２ａ側に設けた平面上に貫通孔２６が形成されると共に、この貫通孔２６と他方の縁部下端２２ｂ側に設けられた錠剤受け部２５との間に傾斜部２４が配置される構成であってもよい。
このように、貫通孔２６を傾斜部２４上に直接設ける構成とし、あるいは平面に形成された貫通孔２６と錠剤受け部２５との間に傾斜部２４を配置する構成とすることにより、取り出し後の錠剤受け部２５上に残存している錠剤Ｐについては、錠剤容器１を傾けて貫通孔２６に導くことにより、この貫通孔２６を通じて容器本体１０内に戻すことが可能となる。
【００２１】
蓋体２７は円板状に形成された天面部２７Ａの外縁部に側壁２７Ｂを備えた短円筒状の部材であり、側壁２７Ｂの一部に蝶番３０が連設され、これとは逆側となる位置に摘み部２９が形成されている。更に天面部２７Ａの内面（下面）には封止リング２８が一体に垂下設されており、図１Ｂに示すように蓋体２７を閉じて封止リング２８を取り出し口２２の内縁に嵌入させることにより、取り出し口２２を封止することが可能となっている。
そして、図１のＢに示すように蓋体２７を閉じた状態では、天面部２７Ａの内面と傾斜部２４及び錠剤受け部２５とが対向する部分に貯留スペースＳが形成されるが、貯留スペースＳを形成する空間の大きさは必要数以上の錠剤Ｐが溜まらない程度に設定されている。
【００２２】
次に上記構成からなる錠剤容器の使用について説明する。
図２は倒立姿勢を示す錠剤容器の部分縦断面、図３は正立姿勢において蓋体を開いた状態を示す錠剤容器の部分縦断面である。
使用者は、図１のＢに示す錠剤容器１、すなわち正立姿勢にあり且つ蓋体２７を閉じた状態にある錠剤容器１の姿勢を１８０度反転させて、図２に示すような倒立姿勢に設定する振り出し操作を行う。すると、複数の錠剤Ｐが下方に位置することとなる取り出し口２２上に移動し、傾斜部２４及び錠剤受け部２５上に積み重なる。この際、図２に示すように、錠剤Ｐが傾斜部２４で案内されるので容易に滑り落ち、そのうちの必要数を含む一部の錠剤Ｐが貫通孔２６を通過して貯留スペースＳ内に入り込む。尚、傾斜部２４は、少なくとも錠剤Ｐが一錠載置される程度の長さに設定してあればよい。
【００２３】
次に、使用者は錠剤容器１の姿勢を更に１８０度反転させて元の正立姿勢に戻す振り出し操作を行う。すると、本体容器１０内の大多数の錠剤Ｐは底部１５側に移動すると共に、貯留スペースＳ内に入り込んだ必要数を含む一部の錠剤Ｐのみを錠剤受け部２５に貯留させることができる。よって、図３に示すように、使用者が摘み部２９を摘みながら蓋体２７を開くことにより、使用者は錠剤受け部２５に貯留された必要数の錠剤Ｐを指先で摘まんで取り出すことが可能となる。
【００２４】
上記錠剤容器１では、正立姿勢の状態において、貫通孔２６を傾斜部２４の最上端の位置、すなわち蝶番３０が設けられた取り出し口２２の一方の縁部下端２２ａの高さ位置に配置することにより、錠剤受け部２５が形成される高さ位置を貫通孔２６よりも下方の高さ位置となるように設定することができる。これにより、錠剤Ｐは錠剤受け部２５内に確実に貯留され、錠剤容器１を少し傾けた程度では、一度錠剤受け部２５に貯留された錠剤Ｐが再び容器本体１０内に戻ることを抑制することができる。したがって、上記のように使用者が錠剤容器１を正立姿勢から倒立姿勢に設定し、更に正立姿勢に戻すという一連の振り出し操作を行うと、容器本体１の口筒部１２が広口状の開口で形成されている場合は勿論のこと、小口状の開口で形成されている場合であっても必要数を含む錠剤Ｐが貯留スペースＳ内の錠剤受け部２５上に確保することが可能となるので、使用者は必要数の錠剤Ｐを確実に取り出すことができる。
【００２５】
以上、実施例に沿って本発明の構成とその作用効果について説明したが、本発明の実施の形態は上記実施例に限定されるものではない。
例えば、上記実施例では、蓋体２７のカラーについては特に言及していないが、蓋体２７を透明又は半透明に形成する構成が好ましい。あるいは少なくとも錠剤受け部２５が透視可能であればよく、蓋体２７の一部（例えば、封止リング２８内の天面部２７Ａのみ）を透明又は半透明とする構成であってもよい。これらの構成では一連の振り出し操作を行った際、貯留スペースＳ内に錠剤Ｐが入り込んだか否かを視覚的に確認することができる。
【００２６】
また上記実施例では、蓋体２７はキャップ本体２１に蝶番３０により連結されるヒンジキャップの場合について説明したが、本発明は上記実施例に限定されるものではなく、例えば蓋体２７がキャップ本体２１に螺着されるネジキャップとすることも可能である。
【００２７】
更に上記実施例では、キャップ本体２１は容器本体１０の口筒部１２に螺着により取り付けられる構成を示して説明したが、本発明は上記実施例に限定されるものではなく、例えばキャップ本体２１が容器本体１０の口筒部１２にアンダーカット状の係止部を介して係止嵌合させることにより取り付けられる構成であっても良い。
【産業上の利用可能性】
【００２８】
本発明は、必要数の錠剤を取り出すための錠剤容器の分野における用途展開を更に広い領域で図ることができる。
【符号の説明】
【００２９】
１    ：  錠剤容器
１０  ：  容器本体
１２  ：  口筒部
１２ａ：  雄ネジ部
１２ｂ：  ネックリング
１３  ：  肩部
１４  ：  胴部
１５  ：  底部
２０  ：  キャップ
２１  ：  キャップ本体
２１Ａ：  頂壁
２１ａ：  雌ネジ部
２２  ：  取り出し口
２２ａ：  取り出し口の一方の縁部下端
２２ｂ：  取り出し口の他方の縁部下端
２３  ：  インナーリング
２４  ：  傾斜部
２５  ：  錠剤受け部
２６  ：  貫通孔
２７  ：  蓋体
２７Ａ：  天面部
２７Ｂ：  側壁
２８  ：  封止リング
２９  ：  摘み部
３０  ：  蝶番
Ｐ    ：  錠剤
Ｓ    ：  貯留スペース
【図１】
2020033085.tif 000003
【図２】
2020033085.tif 000004
【図３】
2020033085.tif 000005